(57)【特許請求の範囲】
【請求項１】
それぞれ独立して生成された撮影されたコンテンツと位置情報とがそれぞれ独立して記録媒体に記録される情報処理装置であって：
前記コンテンツと前記位置情報とが記録される記録媒体と；
コンテンツが前記記録媒体から削除されると、該コンテンツの撮影時刻と時間的に対応する位置情報を前記記録媒体から削除する削除部と；
を含むことを特徴とする、情報処理装置。
【請求項２】
前記削除部は、指定された日付に生成された全ての前記コンテンツが削除されると、当該日付に生成された前記位置情報を前記記録媒体から削除することを特徴とする、請求項１に記載の撮像装置。
【請求項３】
前記削除部は、全ての前記コンテンツが削除されると、全ての前記位置情報を前記記録媒体から削除することを特徴とする、請求項１に記載の撮像装置。
【請求項４】
前記位置情報を生成する位置情報取得部をさらに含むことを特徴とする、請求項１に記載の情報処理装置。
【請求項５】
被写体を撮像して前記コンテンツを生成する撮像部をさらに含むことを特徴とする、請求項１に記載の情報処理装置。
【請求項６】
それぞれ独立して生成されてそれぞれ独立して記録媒体に記録されるコンテンツと位置情報に対する情報処理方法であって：
コンテンツが前記記録媒体から削除されると、該コンテンツの撮影時刻と時間的に対応する位置情報を前記記録媒体から削除する削除ステップを含むことを特徴とする、情報処理方法。
【請求項７】
それぞれ独立して生成されてそれぞれ独立して記録媒体に記録されるコンテンツと位置情報を処理するコンピュータプログラムであって：
コンテンツが前記記録媒体から削除されると、該コンテンツの撮影時刻と時間的に対応する位置情報を前記記録媒体から削除する削除ステップを含むことを特徴とする、コンピュータプログラム。
【発明の詳細な説明】
【技術分野】
【０００１】
本発明は、情報処理装置、情報処理方法およびコンピュータプログラムに関し、より詳細には、コンテンツと位置情報とを独立して記録する情報処理装置並びに、独立して記録されるコンテンツと位置情報に対する情報処理方法およびコンピュータプログラムに関する。
【背景技術】
【０００２】
被写体を撮影して静止画像または動画像（これらを総称して「コンテンツ」と称する）を得ると共に、撮影した時点の位置情報を取得して、記録媒体に記録する情報処理装置がある（特許文献１参照）。例えば、ビデオカメラにＧＰＳ（Ｇｌｏｂａｌ  Ｐｏｓｉｔｉｏｎｉｎｇ  Ｓｙｓｔｅｍ；全地球測位システム）を内蔵し、撮影している間、または電源が入っている間のビデオカメラの位置をＧＰＳで測定し、測定した結果得られる位置情報を、内蔵された半導体メモリやハードディスクに時系列に記録するビデオカメラがある。
【０００３】
【特許文献１】特開２０００−１８７６８７号公報
【発明の開示】
【発明が解決しようとする課題】
【０００４】
しかし、このような情報処理装置は、コンテンツを削除しても、位置情報までは削除されない。コンテンツと位置情報とが対応付けられていないからである。そのため、コンテンツを削除しても位置情報が記録媒体に残ったままとなり、記録媒体の容量が無駄になってしまうという問題があった。
【０００５】
そこで、本発明は、上記問題に鑑みてなされたものであり、本発明の目的とするところは、コンテンツを削除すると、コンテンツと時間的に対応する位置情報を自動的に削除することで記録媒体の容量を節約することができる、新規かつ改良された情報処理装置、情報処理方法およびコンピュータプログラムを提供することにある。
【課題を解決するための手段】
【０００６】
上記課題を解決するために、本発明のある観点によれば、それぞれ独立して生成されるコンテンツと位置情報とが、記録媒体に記録される情報処理装置であって、コンテンツと位置情報とが記録される記録媒体と、コンテンツが記録媒体から削除されると、該コンテンツと時間的に対応する位置情報を記録媒体から削除する削除部と、を含むことを特徴とする、情報処理装置が提供される。
【０００７】
かかる構成によれば、記録媒体にはコンテンツと位置情報とが記録され、削除部は、コンテンツが記録媒体から削除されると、該コンテンツと時間的に対応する位置情報を記録媒体から削除する。その結果、コンテンツを削除すると、コンテンツと時間的に対応する位置情報を自動的に削除することで、記録媒体の容量を節約することができる。
【０００８】
削除部は、指定された日付に生成された全てのコンテンツが削除されると、当該日付に生成された位置情報を記録媒体から削除してもよい。かかる構成によれば、削除部は、指定された日付に生成された全てのコンテンツが削除されると、当該日付に生成された位置情報を記録媒体から削除する。その結果、コンテンツが生成された日付に対応する位置情報を自動的に削除することで、記録媒体の容量を節約することができる。
【０００９】
削除部は、全てのコンテンツが削除されると、全ての位置情報を記録媒体から削除してもよい。かかる構成によれば、削除部は、全てのコンテンツが削除されると、全ての位置情報を記録媒体から削除する。その結果、全ての位置情報を自動的に削除することで、記録媒体の容量を節約することができる。
【００１０】
上記情報処理装置は、位置情報を生成するための情報を取得する位置情報取得部をさらに含んでいてもよい。かかる構成によれば、位置情報取得部は位置情報を生成するための情報を取得し、記録媒体に記録する。その結果、コンテンツを削除すると、コンテンツと時間的に対応する、位置情報取得部で取得した情報によって生成された位置情報を自動的に削除することで、記録媒体の容量を節約することができる。
【００１１】
上記情報処理装置は、被写体を撮像してコンテンツを生成する撮像部をさらに含んでいてもよい。かかる構成によれば、撮像部は被写体を撮像してコンテンツを生成する。その結果、撮像部で生成されたコンテンツを削除すると、コンテンツと時間的に対応する位置情報を自動的に削除することで、記録媒体の容量を節約することができる。
【００１２】
また、上記課題を解決するために、本発明の別の観点によれば、それぞれ独立して生成されて記録媒体に記録されるコンテンツと位置情報に対する情報処理方法であって、コンテンツが記録媒体から削除されると、該コンテンツと時間的に対応する位置情報を記録媒体から削除する削除ステップを含むことを特徴とする、情報処理方法が提供される。
【００１３】
かかる構成によれば、記録媒体にはコンテンツと位置情報とが記録され、削除ステップは、コンテンツが記録媒体から削除されると、該コンテンツと時間的に対応する位置情報を記録媒体から削除する。その結果、コンテンツを削除すると、コンテンツと時間的に対応する位置情報を自動的に削除することで、記録媒体の容量を節約することができる。
【００１４】
また、上記課題を解決するために、本発明の別の観点によれば、それぞれ独立して生成されて記録媒体に記録されるコンテンツと位置情報を処理するコンピュータプログラムであって、コンテンツが記録媒体から削除されると、該コンテンツと時間的に対応する位置情報を記録媒体から削除する削除ステップを含むことを特徴とする、コンピュータプログラムが提供される。
【００１５】
かかる構成によれば、記録媒体にはコンテンツと位置情報とが記録され、削除ステップは、コンテンツが記録媒体から削除されると、該コンテンツと時間的に対応する位置情報を記録媒体から削除する。その結果、コンテンツを削除すると、コンテンツと時間的に対応する位置情報を自動的に削除することで、記録媒体の容量を節約することができる。
【発明の効果】
【００１６】
以上説明したように本発明によれば、コンテンツを削除すると、コンテンツと時間的に対応する位置情報を自動的に削除することで記録媒体の容量を節約することができる、新規かつ改良された情報処理装置、情報処理方法およびコンピュータプログラムを提供することができる。
【発明を実施するための最良の形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
（第１の実施形態）
まず、本発明の第１の実施形態にかかる情報処理装置について説明する。図１は、本発明の第１の実施形態にかかる情報処理装置１００について説明する説明図である。以下、図１を用いて本発明の第１の実施形態にかかる情報処理装置１００について説明する。
【００１９】
情報処理装置１００は、被写体を撮影して静止画像または動画像（以下、これらを総称して、「コンテンツ」とも称する）を取得すると共に、情報処理装置１００の位置情報を取得する装置である（以下、被写体を撮影した結果得られるコンテンツのことを「撮影コンテンツ」とも称する）。図１に示したように、本発明の第１の実施形態にかかる情報処理装置１００は、撮像部１１０と、マイク１１２と、ＧＰＳ受信部１２２と、加速度センサ１２４と、ジャイロセンサ１２６と、地磁気センサ１２８と、制御部１３０と、操作部１３２と、情報記録媒体１３４と、表示部１３６と、を含んで構成される。
【００２０】
撮像部１１０は、被写体を撮影して、被写体からの映像光を電気信号に変換するものである。撮像部１１０には、図示しないが、ズームレンズや絞り、フォーカスレンズ、ＣＣＤ（Ｃｈａｒｇｅ  Ｃｏｕｐｌｅｄ  Ｄｅｖｉｃｅｓ）素子やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）素子のような撮像素子を含んで構成される。マイク１１２は、情報処理装置１００の周辺の音声を集音し、集音した音声を電気信号に変換するものである。撮像部１１０で得られる電気信号およびマイク１１２で得られる電気信号は、制御部１３０に送られる。
【００２１】
ＧＰＳ受信部１２２は、ＧＰＳ衛星からのＧＰＳ信号を受信するものである。そして、ＧＰＳ受信部１２２は受信したＧＰＳ信号に基づいて、情報処理装置１００の現在位置の算出を行う。ＧＰＳ受信部１２２で算出した情報処理装置１００の現在位置は制御部１３０に送られる。
【００２２】
加速度センサ１２４は、情報処理装置１００の加速度を測定するものである。本実施形態にかかる加速度センサ１２４は、加速度検知機構を半導体プロセスで作るＭＥＭＳ（Ｍｉｃｒｏ  Ｅｌｅｔｒｏ  Ｍｅｃｈａｎｉｃａｌ  Ｓｙｓｔｅｍｓ）センサを用いることができる。加速度センサで測定された情報処理装置１００の加速度は制御部１３０に送られる。
【００２３】
ジャイロセンサ１２６は、情報処理装置１００の角速度を測定するものである。本実施形態にかかるジャイロセンサ１２６は、加速度センサ１２４と同様に、角速度検知機構を半導体プロセスで作るＭＥＭＳセンサを用いることができる。ジャイロセンサ１２６で測定された情報処理装置１００の角速度は制御部１３０に送られる。
【００２４】
地磁気センサ１２８は、地磁気の向きを検知し、情報処理装置１００の方位を算出するものである。地磁気センサ１２８で算出した情報処理装置１００の方位は制御部１３０に送られる。
【００２５】
制御部１３０は、情報処理装置１００の各部から情報を受け取り、受け取った情報を用いて演算処理を行うものである。制御部１３０には、図示しないが、ＣＰＵ（Ｃｅｎｔｒａｌ  Ｐｒｏｃｃｅｓｉｎｇ  Ｕｎｉｔ）や、演算処理のために一時的にデータを記憶するメモリ等を含めることができる。制御部１３０は、撮像部１１０およびマイク１１２からの電気信号を用いて、画像データおよび音声データの生成を行う。また制御部１３０は、ＧＰＳ受信部１２２からの情報処理装置１００の現在位置、加速度センサ１２４からの情報処理装置１００の加速度、ジャイロセンサ１２６からの情報処理装置１００の角速度および地磁気センサ１２８からの情報処理装置１００の方位を用いて、情報処理装置１００の位置情報の生成を行う。
【００２６】
また、制御部１３０は本発明の削除部の一例であり、情報記録媒体１３４に記録された撮影コンテンツを削除すると、削除された撮影コンテンツと時間的に対応した情報処理装置１００の位置情報を情報記録媒体１３４から削除する。
【００２７】
情報処理装置１００の位置情報の生成は、所定の時間の間隔で行われる。所定の時間は固定値であってもよく、ユーザが設定可能であってもよい。
【００２８】
操作部１３２は、情報処理装置１００に対する操作を行うものである。図１には図示しないが、操作部１３２には、情報処理装置１００の電源を投入するための電源ボタン、被写体を撮影したり音声を収録したりするためのシャッタボタン、表示部１３６に表示する画像を選択するための十字キー、情報記録媒体１３４に記録された撮影コンテンツを削除するためのボタン等が配されている。
【００２９】
情報記録媒体１３４は、画像データおよび音声データ並びに情報処理装置１００の位置情報が記録されるものである。情報記録媒体１３４として、ＨＤＤ（Ｈａｒｄ  Ｄｉｓｋ  Ｄｒｉｖｅ）、ＤＶＤ、フラッシュメモリ等の半導体メモリ、テープ等を用いてもよい。
【００３０】
本発明の第１の実施形態にかかる情報処理装置１００は、撮像部１１０やマイク１１２から入力される電気信号を用いて生成される画像データおよび音声データと、ＧＰＳ受信部１２２からの情報処理装置１００の現在位置、加速度センサ１２４からの情報処理装置１００の加速度、ジャイロセンサ１２６からの情報処理装置１００の角速度および地磁気センサ１２８からの情報処理装置１００の方位を用いて生成される情報処理装置１００の位置情報とが、それぞれ独立して生成される。そして、生成された画像データおよび音声データ並びに位置情報は、それぞれ独立して情報記録媒体１３４に記録される。
【００３１】
表示部１３６は、撮像部１１０で撮影した画像データや、情報処理装置１００の各種情報を表示するものである。表示部１３６として、ＬＣＤ（Ｌｉｑｕｉｄ  Ｃｒｙｓｔａｌ  Ｄｉｓｐｌａｙ；液晶表示装置）を用いてもよい。
【００３２】
以上、本発明の第１の実施形態にかかる情報処理装置１００の構成について説明した。次に、本発明の第１の実施形態にかかる情報処理装置１００を用いた情報処理方法について説明する。
【００３３】
上述したように、本発明の第１の実施形態にかかる情報処理装置１００は、画像データおよび音声データと、情報処理装置１００の位置情報とが、それぞれ独立して生成される。そして、独立して生成された画像データおよび音声データと、情報処理装置１００の位置情報とは、それぞれ独立して独立して情報記録媒体１３４に記録される。
【００３４】
従って、操作部１３２を操作して、画像データや音声データを情報記録媒体１３４から消去したとしても、従来においては、画像データや音声データと時間的に対応した情報処理装置１００の位置情報は、情報記録媒体１３４からは削除されなかった。位置情報が削除されずに残り続けることで、情報記録媒体１３４の使用容量に無駄が生じてしまう。
【００３５】
そこで本実施形態においては、画像データや音声データを情報記録媒体１３４から消去すると、削除したデータと時間的に対応する情報処理装置１００の位置情報は、情報記録媒体１３４から削除することで、情報記録媒体１３４の使用容量の無駄を無くし、情報記録媒体１３４を効果的に使用することを目的とする。
【００３６】
図２は、本発明の第１の実施形態にかかる情報処理装置１００を用いた情報処理方法について説明する流れ図である。以下、図２を用いて本発明の第１の実施形態にかかる情報処理装置１００を用いた情報処理方法について説明する。
【００３７】
まず、情報処理装置１００は、情報処理装置１００を使用するユーザの操作を待つ（ステップＳ１０２）。ユーザは、操作部１３２を操作して、被写体の撮影操作や情報処理装置１００の設定操作、情報記録媒体１３４に記録されているデータに対する操作等を行う。
【００３８】
情報処理装置１００は、続いてユーザが自動削除のＯＮ／ＯＦＦを選択したかどうかを判断する（ステップＳ１０４）。本実施形態における自動削除とは、画像データや音声データを情報記録媒体１３４から消去すると、削除したデータと時間的に対応する情報処理装置１００の位置情報を自動的に削除するかどうかの設定を指す。自動削除がＯＮの場合には、画像データや音声データを情報記録媒体１３４から消去すると、削除したデータと時間的に対応する情報処理装置１００の位置情報を自動的に削除する。自動削除がＯＦＦの場合には、画像データや音声データを情報記録媒体１３４から消去しても、削除したデータと時間的に対応する情報処理装置１００の位置情報を自動的に削除しない。
【００３９】
上記ステップＳ１０４において、ユーザが自動削除のＯＮ／ＯＦＦを選択していた場合には、情報処理装置１００は、ユーザが設定した自動削除のＯＮ／ＯＦＦ状態を記憶しておく（ステップＳ１０６）。自動削除のＯＮ／ＯＦＦ状態の記憶処理が完了すると、ステップＳ１０２に戻ってユーザからの操作の受付を待つ。一方、上記ステップＳ１０４において、ユーザが自動削除のＯＮ／ＯＦＦを選択していない場合には、撮影したコンテンツの選択削除処理がユーザから指示されたかどうかを判断する（ステップＳ１０８）。
【００４０】
上記ステップＳ１０８において、撮影したコンテンツの選択削除がユーザから指示されている場合には、撮影したコンテンツの選択削除処理に移る（ステップＳ１１０）。なお、撮影したコンテンツの選択削除処理については後に詳述する。一方、上記ステップＳ１０８において、撮影したコンテンツの選択削除処理がユーザから指示されていない場合には、撮影したコンテンツの日付単位の削除処理がユーザから指示されたかどうかを判断する（ステップＳ１１２）。
【００４１】
上記ステップＳ１１２において、撮影したコンテンツの日付単位の削除処理がユーザから指示されている場合には、撮影したコンテンツの日付単位の削除処理に移る（ステップＳ１１４）。なお、撮影したコンテンツの日付単位の削除処理については後に詳述する。一方、上記ステップＳ１１２において、撮影したコンテンツの日付単位の削除処理がユーザから指示されていない場合には、撮影したコンテンツの全削除処理がユーザから指示されたかどうかを判断する（ステップＳ１１６）。
【００４２】
上記ステップＳ１１６において、撮影して得られたコンテンツの全削除処理がユーザから指示されている場合には、撮影して得られたコンテンツの全削除処理に移る（ステップＳ１１８）。なお、撮影して得られたコンテンツの全削除処理については後に詳述する。一方、上記ステップＳ１１６において、撮影したコンテンツの全削除処理がユーザから指示されていない場合には、情報記録媒体１３４の初期化（フォーマット）処理がユーザから指示されたかどうかを判断する（ステップＳ１２０）。
【００４３】
上記ステップＳ１２０において、情報記録媒体１３４の初期化（フォーマット）処理がユーザから指示されている場合には、情報記録媒体１３４の初期化（フォーマット）処理に移る（ステップＳ１２２）。なお、情報記録媒体１３４の初期化（フォーマット）処理については後に詳述する。一方、上記ステップＳ１２０において情報記録媒体１３４の初期化（フォーマット）処理がユーザから指示されていない場合には、ステップＳ１０２にっ戻ってユーザの操作の受付を待つ。
【００４４】
以上、本発明の第１の実施形態にかかる情報処理装置１００を用いた情報処理方法について説明した。なお、本発明の情報処理方法における処理の順序についてはかかる例に限られないことは言うまでも無い。例えば、図２に示した情報処理方法では、撮影コンテンツの選択削除→日付単位削除→全削除の順にユーザから指示されたかどうかを判断したが、本発明における情報処理方法においては、判断の順番はこの順番に限られない。
【００４５】
次に、本発明の第１の実施形態にかかる情報処理装置１００を用いた情報処理方法における、撮影コンテンツの選択削除処理について説明する。
【００４６】
図３は、本発明の第１の実施形態にかかる撮影コンテンツの選択削除処理について説明する流れ図である。以下、図３を用いて本発明の第１の実施形態にかかる撮影コンテンツの選択削除処理について説明する。
【００４７】
図２のステップＳ１１０で、撮影した撮影コンテンツの選択削除処理に移ると、制御部１３０はユーザが選択した撮影コンテンツを情報記録媒体１３４から削除する（ステップＳ１３１）。情報記録媒体１３４からの削除が終わると、次に、制御部１３０は、ある日付に撮影された撮影コンテンツを全て情報記録媒体１３４から削除したかどうかを判断する（ステップＳ１３２）。
【００４８】
ステップＳ１３２での判断の結果、ある日付に撮影された撮影コンテンツを全て情報記録媒体１３４から削除している場合には、次に位置情報の自動削除がＯＮになっているかどうかを判断する（ステップＳ１３３）。ステップＳ１３３での判断の結果、位置情報の自動削除がＯＮになっている場合には、制御部１３０は、当該日付に取得した情報処理装置１００の位置情報を情報記録媒体１３４から全て削除して（ステップＳ１３４）、撮影コンテンツの選択削除処理を終了する。
【００４９】
一方、上記ステップＳ１３２での判断の結果、ある日付に撮影された撮影コンテンツが全て情報記録媒体１３４から削除されていない場合、また上記ステップＳ１３３での判断の結果、位置情報の自動削除がＯＦＦになっている場合には、情報処理装置１００の位置情報の削除は行わず、そのまま撮影コンテンツの選択削除処理を終了する。
【００５０】
図４は、本発明の第１の実施形態にかかる情報処理装置１００の、情報記録媒体１３４に記録される撮影コンテンツと位置情報の記録構成について説明する説明図である。図４に示したように、情報記録媒体１３４には、撮影コンテンツと位置情報とがそれぞれ独立して記録されている。そして、撮影コンテンツ、位置情報共に、日付単位でフォルダを作成して、日付ごとに格納する。
【００５１】
図４に示した例では、２００７年８月１日に撮影した撮影コンテンツと位置情報は、それぞれ“２００７＿０８＿０１”という名前の付いたフォルダに格納される。同様に、２００７年８月２日に撮影した撮影コンテンツと位置情報は、それぞれ“２００７＿０８＿０２”という名前の付いたフォルダに格納される。
【００５２】
撮影コンテンツの“２００７＿０８＿０１”フォルダには、動画像ファイルとしてファイル名が“０００１．ＭＰＧ”というファイルが記録されており、“２００７＿０８＿０２”フォルダには、動画像ファイルとしてファイル名が“０００２．ＭＰＧ”および“０００３．ＭＰＧ”というファイルが、静止画像ファイルとしてファイル名が“０００１．ＪＰＧ”というファイルが記録されている。
【００５３】
一方、位置情報の“２００７＿０８＿０１”フォルダには、位置情報ファイルとしてファイル名が“２００７＿０８＿０１＿００１．ｘｘｘ”および“２００７＿０８＿０１＿００２．ｘｘｘ”というファイルが記録されており、“２００７＿０８＿０２”フォルダには、位置情報ファイルとしてファイル名が“２００７＿０８＿０２＿００１．ｘｘｘ”、“２００７＿０８＿０２＿００２．ｘｘｘ”および“２００７＿０８＿０２＿００３．ｘｘｘ”というファイルが記録されている。
【００５４】
この場合において、上記ステップＳ１３１で“０００１．ＭＰＧ”を削除すると、２００７年８月１日に撮影した撮影コンテンツは全て情報記録媒体１３４から削除されたことになる。従って、上記ステップＳ１３２での判断の結果、２００７年８月１日に撮影された撮影コンテンツが全て削除されたものと判断し、位置情報の自動削除がＯＮになっていれば、上記ステップＳ１３４において、位置情報の“２００７＿０８＿０１”フォルダに記録されている位置情報ファイル“２００７＿０８＿０１＿００１．ｘｘｘ”および“２００７＿０８＿０１＿００２．ｘｘｘ”を削除する。
【００５５】
一方、上記ステップＳ１３１で“０００２．ＭＰＧ”を削除しても、２００７年８月２日に撮影した撮影コンテンツはまだ情報記録媒体１３４に残っている。従って、上記ステップＳ１３２での判断の結果、２００７年８月２日に撮影された撮影コンテンツはまだ残っていると判断し、情報処理装置１００の位置情報の削除は行わず、そのまま撮影コンテンツの選択削除処理を終了する。
【００５６】
このように、撮影コンテンツを選択して削除した結果、ある日付に撮影された撮影コンテンツが全て削除された場合には、その日付に取得した情報処理装置１００の位置情報を全て削除することで、情報記録媒体１３４の使用容量の無駄を無くし、情報記録媒体１３４を効果的に使用することができる。
【００５７】
以上、本発明の第１の実施形態にかかる撮影コンテンツの選択削除処理について説明した。次に、本発明の第１の実施形態にかかる撮影コンテンツの日付単位の削除処理について説明する。
【００５８】
図５は、本発明の第１の実施形態にかかる撮影コンテンツの日付単位の削除処理について説明する流れ図である。以下、図５を用いて本発明の第１の実施形態にかかる撮影コンテンツの日付単位の削除処理について説明する。
【００５９】
図２のステップＳ１１４で、撮影した撮影コンテンツの日付単位の削除処理に移ると、制御部１３０はユーザが指定した日付に撮影された撮影コンテンツを情報記録媒体１３４から全て削除する（ステップＳ１４１）。情報記録媒体１３４からの削除が終わると、次に、制御部１３０は位置情報の自動削除がＯＮになっているかどうかを判断する（ステップＳ１４２）。
【００６０】
ステップＳ１４２での判断の結果、位置情報の自動削除がＯＮになっている場合には、制御部１３０は、当該日付に取得した情報処理装置１００の位置情報を情報記録媒体１３４から全て削除して（ステップＳ１４３）、撮影コンテンツの日付単位の削除処理を終了する。
【００６１】
一方、上記ステップＳ１４２での判断の結果、位置情報の自動削除がＯＦＦになっている場合には、情報処理装置１００の位置情報の削除は行わず、そのまま撮影コンテンツの日付単位の削除処理を終了する。
【００６２】
図４に示した記録構成において、ユーザが２００７年８月２日に撮影した撮影コンテンツの削除を指示した場合に、制御部１３０は、情報記録媒体１３４から“２００７＿０８＿０２”フォルダに格納されている３つの撮影コンテンツ（または撮影コンテンツが格納されている“２００７＿０８＿０２”フォルダ）を削除する。
【００６３】
そして、位置情報の自動削除がＯＮになっていた場合には、制御部１３０は、情報記録媒体１３４から“２００７＿０８＿０２”フォルダに格納されている３つの位置情報ファイル（または位置情報が格納されている“２００７＿０８＿０２”フォルダ）を削除する。
【００６４】
このように、日付を指定して当該日付に撮影された撮影コンテンツを情報記録媒体１３４から全て削除した場合に、その日付に取得した情報処理装置１００の位置情報を全て削除することで、情報記録媒体１３４の使用容量の無駄を無くし、情報記録媒体１３４を効果的に使用することができる。
【００６５】
以上、本発明の第１の実施形態にかかる撮影コンテンツの日付単位の削除処理について説明した。次に、本発明の第１の実施形態にかかる撮影コンテンツの全削除処理について説明する。
【００６６】
図６は、本発明の第１の実施形態にかかる撮影コンテンツの全削除処理について説明する流れ図である。以下、図６を用いて第１の実施形態にかかる撮影コンテンツの全削除処理について説明する。
【００６７】
図２のステップＳ１１８で、撮影した全ての撮影コンテンツの削除処理に移ると、制御部１３０は撮影した全ての撮影コンテンツを情報記録媒体１３４から削除する（ステップＳ１５１）。情報記録媒体１３４からの全ての撮影コンテンツの削除が終わると、次に、制御部１３０は位置情報の自動削除がＯＮになっているかどうかを判断する（ステップＳ１５２）。
【００６８】
ステップＳ１５２での判断の結果、位置情報の自動削除がＯＮになっている場合には、制御部１３０は、取得した全ての情報処理装置１００の位置情報を情報記録媒体１３４から削除して（ステップＳ１４３）、撮影コンテンツの全削除処理を終了する。
【００６９】
一方、上記ステップＳ１４２での判断の結果、位置情報の自動削除がＯＦＦになっている場合には、情報処理装置１００の位置情報の削除は行わず、そのまま撮影コンテンツの全削除処理を終了する。
【００７０】
このように、撮影された全ての撮影コンテンツを情報記録媒体１３４から削除した場合に、取得した全ての情報処理装置１００の位置情報を情報記録媒体１３４から削除することで、情報記録媒体１３４の使用容量の無駄を無くし、情報記録媒体１３４を効果的に使用することができる。
【００７１】
以上、本発明の第１の実施形態にかかる撮影コンテンツの全削除処理について説明した。次に、本発明の第１の実施形態にかかる情報記録媒体１３４の初期化（フォーマット）処理について説明する。
【００７２】
図７は、本発明の第１の実施形態にかかる情報記録媒体１３４の初期化（フォーマット）処理について説明する流れ図である。以下、図７を用いて本発明の第１の実施形態にかかる情報記録媒体１３４の初期化（フォーマット）処理について説明する。
【００７３】
図２のステップＳ１２２で、情報記録媒体１３４の初期化（フォーマット）処理に移ると、制御部１３０は表示部１３６に、情報記録媒体１３４に記録されている全ての撮影コンテンツおよび情報処理装置１００の位置情報が削除される旨を表示させる（ステップＳ１６１）。そして、ユーザが情報記録媒体１３４の初期化（フォーマット）を承諾すると、制御部１３０は情報記録媒体１３４を初期化する（ステップＳ１６２）。
【００７４】
このように、情報記録媒体１３４を初期化する際には撮影コンテンツだけでなく情報処理装置１００の位置情報も消去することで、情報記録媒体１３４の使用容量の無駄を無くし、情報記録媒体１３４を効果的に使用することができる。
【００７５】
以上、本発明の第１の実施形態にかかる情報記録媒体１３４の初期化（フォーマット）処理について説明した。
【００７６】
以上説明したように、本発明の第１の実施形態によれば、撮影コンテンツと位置情報とが独立して情報記録媒体に記録されている場合において、撮影コンテンツを情報記録媒体から削除したときに、撮影コンテンツと時間的に対応している位置情報を情報記録媒体から削除することで、情報記録媒体の使用容量の無駄を無くし、情報記録媒体を効果的に使用することができる。
【００７７】
（第２の実施形態）
本発明の第１の実施形態では、撮影コンテンツを取得する撮像部およびマイクと、位置情報を生成するためのＧＰＳ受信部、加速度センサ、ジャイロセンサおよび地磁気センサとが、同一の情報処理装置に含まれている場合について説明した。
【００７８】
しかし、撮影コンテンツの取得と、位置情報の生成に用いる各種情報の取得は、必ずしも同一の装置で行う必要は無い。例えば、撮影コンテンツの取得と位置情報の生成に用いる各種情報の取得を別の装置で行い、撮影コンテンツを取得した装置に位置情報の生成に用いる各種情報を送信し、撮影コンテンツおよび位置情報を、撮影コンテンツを取得した装置に内蔵される情報記録媒体に保存してもよい。本発明の第２の実施形態では、かかる場合における情報処理装置および情報処理方法について説明する。
【００７９】
図８は、本発明の第２の実施形態にかかる情報処理装置２００および位置情報取得装置２５０の構成について説明する説明図である。以下、図８を用いて本発明の第２の実施形態にかかる情報処理装置２００および位置情報取得装置２５０の構成について説明する。
【００８０】
情報処理装置２００は、被写体を撮影して撮影コンテンツを取得するものである。また、位置情報取得装置２５０は、位置情報の生成に用いる各種情報を取得して、情報処理装置２００に送信するものである。なお、撮影コンテンツを取得した時点での撮影位置を正確に把握するために、情報処理装置２００と位置情報取得装置２５０とは比較的近距離（数十センチメートル〜数メートル程度）で使用することが望ましい。
【００８１】
図８に示したように、本発明の第２の実施形態にかかる情報処理装置２００は、通信部２０２と、撮像部２１０と、マイク２１２と、制御部２３０と、操作部２３２と、情報記録媒体２３４と、表示部２３６と、を含んで構成される。また、位置情報取得装置２５０は、ＧＰＳ受信部２５２と、加速度センサ２５４と、ジャイロセンサ２５６と、地磁気センサ２５８と、制御部２６０と、通信部２６２と、を含んで構成される。
【００８２】
まず情報処理装置２００の各部について説明する。通信部２０２は、位置情報取得装置２５０の通信部２６２と通信を行うものであり、本実施形態においては、位置情報取得装置２５０で取得された、位置情報の生成に用いる各種情報を受信し、制御部２３０に送る。
【００８３】
制御部２３０は、情報処理装置２００の各部から情報を受け取り、受け取った情報を用いて演算処理を行うものである。制御部２３０には、図示しないが、ＣＰＵや、演算処理のために一時的にデータを記憶するメモリ等を含めることができる。制御部２３０は、撮像部２１０およびマイク２１２からの電気信号を用いて、画像データおよび音声データ（撮影コンテンツ）の生成を行う。また制御部２３０は、通信部２０２が受信した、位置情報の生成に用いる各種情報を用いて、位置情報取得装置２５０の位置情報の生成を行う。
【００８４】
撮像部２１０、マイク２１２、操作部２３２、情報記録媒体２３４および表示部２３６は、本発明の第１の実施形態にかかる情報処理装置１００における撮像部１１０、マイク１１２、操作部１３２、情報記録媒体１３４および表示部１３６と、それぞれ同様の機能を有するため、詳細な説明は省略する。
【００８５】
次に位置情報取得装置２５０の各部について説明する。制御部２６０は、位置情報取得装置２５０の各部に対する制御を行うものであり、本実施形態においては、ＧＰＳ受信部２５２、加速度センサ２５４、ジャイロセンサ２５６および地磁気センサ２５８から、それぞれが取得した位置情報の生成に用いる各種情報を受け取り、通信部２６２に渡す。制御部２６０には、図示しないが、ＣＰＵや、演算処理のために一時的にデータを記憶するメモリ等を含めることができる。
【００８６】
通信部２６２は、制御部２６０から位置情報の生成に用いる各種情報を受け取り、外部に向けて送信するものである。位置情報の生成に用いる各種情報の送信は有線であってもよく、無線であってもよい。
【００８７】
ＧＰＳ受信部２５２、加速度センサ２５４、ジャイロセンサ２５６および地磁気センサ２５８は、本発明の第１の実施形態にかかる情報処理装置１００におけるＧＰＳ受信部１２２、加速度センサ１２４、ジャイロセンサ１２６および地磁気センサ１２８と、それぞれ同様の機能を有するため、詳細な説明は省略する。
【００８８】
以上、本発明の第２の実施形態にかかる情報処理装置２００および位置情報取得装置２５０の構成について説明した。このように情報処理装置２００および位置情報取得装置２５０を構成した場合においても、情報記録媒体２３４に記録された撮影コンテンツを削除すると、削除した撮影コンテンツと時間的に対応する位置情報を情報記録媒体２３４から削除することによって、情報記録媒体２３４の使用容量の無駄を無くし、情報記録媒体２３４を効果的に使用することができる。
【００８９】
なお、本発明の第２の実施形態では、位置情報取得装置２５０では位置情報を生成するための各種情報の取得にとどめ、情報処理装置２００において位置情報取得装置２５０の位置情報を生成していたが、本発明においてはかかる例に限定されない。位置情報取得装置２５０において位置情報取得装置２５０の位置情報を生成し、生成した位置情報を情報処理装置２００に送信し、情報記録媒体２３４に生成された位置情報を記録してもよい。
【００９０】
（第３の実施形態）
本発明の第２の実施形態においては、撮影コンテンツの取得と、位置情報を生成するための各種情報の取得とを別々の装置で行う場合について説明した。本発明の第３の実施形態では、位置情報を生成するための各種情報の取得を別々の装置で行う場合について説明する。
【００９１】
図９は、本発明の第３の実施形態にかかる情報処理装置３００および位置情報取得装置３５０の構成について説明する説明図である。以下、図９を用いて本発明の第２の実施形態にかかる情報処理装置３００および位置情報取得装置３５０の構成について説明する。
【００９２】
情報処理装置３００は、被写体を撮影して撮影コンテンツを取得するものであり、また位置情報の生成に用いる各種情報の一部を取得するものである。また、位置情報取得装置３５０は、位置情報の生成に用いる各種情報を取得して、情報処理装置３００に送信するものである。なお、第２の実施形態と同様に、撮影コンテンツを取得した時点での撮影位置を正確に把握するために、情報処理装置３００と位置情報取得装置３５０とは比較的近距離（数十センチメートル〜数メートル程度）で使用することが望ましい。
【００９３】
図９に示したように、本発明の第３の実施形態にかかる情報処理装置３００は、通信部３０２と、撮像部３１０と、マイク３１２と、加速度センサ３２４と、ジャイロセンサ３２６と、制御部３３０と、操作部３３２と、情報記録媒体３３４と、表示部３３６と、を含んで構成される。また、位置情報取得装置３５０は、ＧＰＳ受信部３５２と、地磁気センサ３５８と、制御部３６０と、通信部３６２と、を含んで構成される。
【００９４】
まず情報処理装置３００の各部について説明する。通信部３０２は、位置情報取得装置３５０の通信部３６２と通信を行うものであり、本実施形態においては、位置情報取得装置３５０で取得された、位置情報の生成に用いる各種情報の内、ＧＰＳ受信部３５２で受信したＧＰＳ信号に基づいて算出された情報処理装置３００の現在位置の情報と、地磁気センサ３５８で検知した地磁気に基づいて算出した情報処理装置３００の方位の情報を受信し、制御部３３０に送る。
【００９５】
制御部３３０は、情報処理装置３００の各部から情報を受け取り、受け取った情報を用いて演算処理を行うものである。制御部３３０には、図示しないが、ＣＰＵや、演算処理のために一時的にデータを記憶するメモリ等を含めることができる。制御部３３０は、撮像部３１０およびマイク３１２からの電気信号を用いて、画像データおよび音声データ（撮影コンテンツ）の生成を行う。また制御部３３０は、通信部３０２が受信した情報と、加速度センサ３２４で検知した加速度の情報と、ジャイロセンサ３２６で検知した角速度の情報と、を用いて位置情報の生成を行う。
【００９６】
撮像部３１０、マイク３１２、加速度センサ３２４、ジャイロセンサ３２６、操作部３３２、情報記録媒体３３４および表示部３３６は、本発明の第１の実施形態にかかる情報処理装置１００における撮像部１１０、マイク１１２、加速度センサ１２４、ジャイロセンサ１２６、操作部１３２、情報記録媒体１３４および表示部１３６と、それぞれ同様の機能を有するため、詳細な説明は省略する。
【００９７】
次に位置情報取得装置３５０の各部について説明する。制御部３６０は、位置情報取得装置３５０の各部に対する制御を行うものであり、本実施形態においては、ＧＰＳ受信部３５２および地磁気センサ３５８から、それぞれが取得した位置情報の生成に用いる各種情報を受け取り、通信部３６２に渡す。制御部３６０には、図示しないが、ＣＰＵや、演算処理のために一時的にデータを記憶するメモリ等を含めることができる。
【００９８】
通信部３６２は、制御部３６０から位置情報の生成に用いる各種情報を受け取り、外部に向けて送信するものである。位置情報の生成に用いる各種情報の送信は有線であってもよく、無線であってもよい。
【００９９】
ＧＰＳ受信部３５２および地磁気センサ３５８は、本発明の第１の実施形態にかかる情報処理装置１００におけるＧＰＳ受信部１２２および地磁気センサ１２８と、それぞれ同様の機能を有するため、詳細な説明は省略する。
【０１００】
以上、本発明の第３の実施形態にかかる情報処理装置３００および位置情報取得装置３５０の構成について説明した。このように情報処理装置３００および位置情報取得装置３５０を構成した場合においても、情報記録媒体３３４に記録された撮影コンテンツを削除すると、削除した撮影コンテンツと時間的に対応する位置情報を情報記録媒体３３４から削除することによって、情報記録媒体３３４の使用容量の無駄を無くし、情報記録媒体３３４を効果的に使用することができる。
【０１０１】
なお、上述の情報処理方法は、情報処理装置１００，２００，３００のそれぞれの内部に格納された記録媒体に、予め本発明の一実施形態にかかるコンテンツデータの受信方法を実行するように作成されたコンピュータプログラムを記録しておき、当該コンピュータプログラムをＣＰＵ（Ｃｅｎｔｒａｌ  Ｐｒｏｃｅｓｓｉｎｇ  Ｕｎｉｔ）等の演算装置が順次読み出して実行することによって行ってもよい。
【０１０２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１０３】
例えば、上記実施形態では、撮影した撮影コンテンツの選択削除処理において、ある日付の撮影コンテンツが全て削除されたかどうかを判断し、全て削除されていた場合に、その日付の位置情報を情報記録媒体から削除していたが、本発明はかかる例に限定されない。例えば、削除する撮影コンテンツが動画像である場合に、当該動画像の撮影中に生成された位置情報を削除してもよい。
【０１０４】
具体的には、例えば、動画像の撮影が２００７年８月１日午後２時５０分から２００７年８月１日午後３時１５分まで行われ、位置情報の生成が２００７年８月１日午後２時４０分から２００７年８月１日午後３時３０分まで２分単位で行われ、それぞれ記録媒体に記録されている場合において、撮影された動画像を記録媒体から削除すると、２００７年８月１日午後２時４０分から２００７年８月１日午後３時１４分（または午後３時１６分）までに生成された位置情報を記録媒体から削除してもよい。
【産業上の利用可能性】
【０１０５】
本発明は、情報処理装置、情報処理方法およびコンピュータプログラムに適用可能であり、特にコンテンツと位置情報とを独立して記録する情報処理装置並びに、独立して記録されるコンテンツと位置情報に対する情報処理方法およびコンピュータプログラムに適用可能である。
【図面の簡単な説明】
【０１０６】
【図１】本発明の第１の実施形態にかかる情報処理装置１００について説明する説明図である。
【図２】本発明の第１の実施形態にかかる情報処理装置１００を用いた情報処理方法について説明する流れ図である。
【図３】本発明の第１の実施形態にかかる撮影コンテンツの選択削除処理について説明する流れ図である。
【図４】情報記録媒体１３４に記録される撮影コンテンツと位置情報の記録構成について説明する説明図である。
【図５】本発明の第１の実施形態にかかる撮影コンテンツの日付単位の削除処理について説明する流れ図である。
【図６】本発明の第１の実施形態にかかる撮影コンテンツの全削除処理について説明する流れ図である。
【図７】本発明の第１の実施形態にかかる情報記録媒体１３４の初期化（フォーマット）処理について説明する流れ図である。
【図８】本発明の第２の実施形態にかかる情報処理装置２００および位置情報取得装置２５０の構成について説明する説明図である。
【図９】本発明の第３の実施形態にかかる情報処理装置３００および位置情報取得装置３５０の構成について説明する説明図である。
【符号の説明】
【０１０７】
１００，２００，３００    情報処理装置
１１０，２１０，３１０    撮像部
１１２，２１２，３１２    マイク
１２２，２５２，３５２    ＧＰＳ受信部
１２４，２５４，３２４    加速度センサ
１２６，２５６，３２６    ジャイロセンサ
１２８，２５８，３５８    地磁気センサ
１３０，２３０，２６０，３３０，３６０    制御部
１３２，２３２，３３２    操作部
１３４，２３４，３３４    情報記録媒体
１３６，２３６，３３６    表示部
２０２，２６２，３０２，３６２    通信部
２５０，３５０    位置情報取得装置
【図１】
0004407738.tif 000002
【図２】
0004407738.tif 000003
【図３】
0004407738.tif 000004
【図４】
0004407738.tif 000005
【図５】
0004407738.tif 000006
【図６】
0004407738.tif 000007
【図７】
0004407738.tif 000008
【図８】
0004407738.tif 000009
【図９】
0004407738.tif 000010